Podtech/llm-jp-corpus-v4-ja_patent huggingface dataset:
【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
有効成分としてピペリン、カルバクロール、ナツダイダイン、シネンセチン、ゲンクワニン、ラムネチン、イソラムネチン、カエムフェリド、ガルシノール、α-リノレン酸、フェルラ酸、α-マンゴスチン、オストール、テトラヒドロクルクミン、オーラプテン、1-ケストース、S-アリル-L-システイン、DL-α-アラニン、バイカリン、チリロシド、ホルモノネチン、イソフラキシジン及びビオカニンAの少なくとも１種を含有することを特徴とする、時計遺伝子Ｐｅｒｉｏｄ２発現リズムの振幅増強作用を有する組成物。
【請求項２】
有効成分としてピペリン、カルバクロール、ナツダイダイン、シネンセチン、ゲンクワニン、ラムネチン、イソラムネチン、カエムフェリド、ガルシノール、α-リノレン酸、フェルラ酸、α-マンゴスチン、オストール、テトラヒドロクルクミン、オーラプテン、1-ケストース、S-アリル-L-システイン、DL-α-アラニン、バイカリン、チリロシド、ホルモノネチン、イソフラキシジン及びビオカニンAの少なくとも１種を含有することを特徴とする、体内時計調整用組成物。
【請求項３】
時計遺伝子発現リズムの位相、周期または振幅のうち少なくとも１つを調整する作用を有する、請求項１または２に記載の組成物。
【手続補正書】
【提出日】令和3年8月12日(2021.8.12)
【手続補正１】
【補正対象書類名】特許請求の範囲
【補正対象項目名】全文
【補正方法】変更
【補正の内容】
【特許請求の範囲】
【請求項１】
入力端子と、出力端子を有し、前記入力端子に入力された電位より低い電位を、前記出力端子から出力する機能を有する半導体装置であって、
前記半導体装置は、第１の電荷転送スイッチと、第２の電荷転送スイッチと、ポンピングキャパシタと、を有し、
前記第１の電荷転送スイッチは、チャネル形成領域にシリコンを有する第１のトランジスタを複数有し、
前記第２の電荷転送スイッチは、チャネル形成領域に金属酸化物を有する第２のトランジスタを複数有し、
前記入力端子は、前記第１の電荷転送スイッチ及び前記第２の電荷転送スイッチと電気的に接続され、
前記出力端子は、前記第１の電荷転送スイッチ及び前記第２の電荷転送スイッチと電気的に接続され、
前記ポンピングキャパシタの一方の電極は、前記第１の電荷転送スイッチ及び前記第２の電荷転送スイッチと電気的に接続されていることを特徴とする半導体装置。
【請求項２】
請求項１において、
前記第２の電荷転送スイッチが有する全てのトランジスタは、チャネル形成領域に金属酸化物を有することを特徴とする半導体装置。
【請求項３】
入力端子と、出力端子を有し、前記入力端子に入力された電位より低い電位を、前記出力端子から出力する機能を有する半導体装置であって、
前記半導体装置は、第１の電荷転送スイッチと、第２の電荷転送スイッチと、ポンピングキャパシタと、を有し、
前記第１の電荷転送スイッチは、チャネル形成領域にシリコンを有する第１のトランジスタを複数有し、
前記第１の電荷転送スイッチは、チャネル形成領域に金属酸化物を有する第２のトランジスタを１個有し、
前記第２の電荷転送スイッチは、チャネル形成領域に金属酸化物を有する第３のトランジスタを複数有し、
前記第２の電荷転送スイッチが有する全てのトランジスタは、チャネル形成領域に金属酸化物を有し、
前記入力端子は、前記第１の電荷転送スイッチ及び前記第２の電荷転送スイッチと電気的に接続され、
前記出力端子は、前記第２のトランジスタの、ソース又はドレインの一方と電気的に接続され、
前記出力端子は、前記第２の電荷転送スイッチと電気的に接続され、
前記ポンピングキャパシタの一方の電極は、前記第１の電荷転送スイッチ及び前記第２の電荷転送スイッチと電気的に接続されていることを特徴とする半導体装置。
【請求項４】
請求項１乃至請求項３のいずれか一項において、
前記第１のトランジスタは、ｐチャネル型トランジスタであることを特徴とする半導体装置。
【手続補正書】
【提出日】令和3年8月27日(2021.8.27)
【手続補正１】
【補正対象書類名】特許請求の範囲
【補正対象項目名】請求項１
【補正方法】変更
【補正の内容】
【請求項１】
溶かしたいものを溶かす液に触れさせると共に撹拌して溶かす方法であって、溶かしたいものを、これを溶かす液を入れる容器の内側の上部に配置しておき、この配置の状態のままシェイクする、飲料の調製方法。
【手続補正２】
【補正対象書類名】特許請求の範囲
【補正対象項目名】請求項４
【補正方法】変更
【補正の内容】
【請求項４】
溶かしたいものを溶かす液に触れさせると共に撹拌して溶かすための容器であって、溶かしたいものを受けるための受け部を、溶かしたいものを溶かす液を入れる容器の内側の上部に設けて、溶かしたいものを前記溶かす液を入れる容器の上部に配置した状態のままシェイクし得るようにして成る、飲料の調製容器。
【手続補正３】
【補正対象書類名】明細書
【補正対象項目名】０００７
【補正方法】変更
【補正の内容】
【０００７】  そこでこの発明では溶かしたいもの（例えば粉末状のプロテイン）を、これを溶かす液（例えば水）を入れる容器の内側の上部に配置しておき、この配置の状態のままシェイクするようにしたのである。上部とは溶かす液の液面から上のことである。この調製方法を実施するための調製容器として、すなわち溶かしたいものを溶かす液に触れさせると共に撹拌して溶かすための容器として、溶かしたいものを受けるための受け部を、溶かしたいものを溶かす液を入れる容器の内側の液面から上部に設けることによって、溶かしたいものをこれを溶かす液を入れる容器の上部に配置した状態のままシェイクし得るようにして成るものを提供する。
【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
反応室と、
前記反応室の上に設けられ、第１のプロセスガスが導入される第１のガス室と、
前記第１のガス室から前記反応室に前記第１のプロセスガスを供給する複数の第１のガス流路と、
前記反応室の中に設けられ、基板を載置可能なホルダと、
前記基板を１５００℃以上の温度に加熱することが可能なヒータと、
を備え、
前記複数の第１のガス流路のうち少なくとも１つは、第１の領域と、前記第１の領域と前記反応室との間に位置する第２の領域とを有し、前記第１の領域は前記第１のプロセスガスの流れる方向に垂直な面における第１の開口断面積と前記方向の第１の長さとを有し、前記第２の領域は前記方向に垂直な面における第２の開口断面積と前記方向の第２の長さとを有し、前記第１の開口断面積は前記第２の開口断面積よりも小さく、前記第１の長さは前記第２の長さ以下であり、
前記第１の領域は第１のコンダクタンスを有し、前記第２の領域は第２のコンダクタンスを有し、前記第２のコンダクタンスに対する前記第１のコンダクタンスの比率は、１％以上４０％以下である気相成長装置。
【請求項２】
前記第１の領域は、前記第２の領域と分離可能な部品で形成される請求項１記載の気相成長装置。
【請求項３】
前記第２の領域の内壁面と前記方向に対し垂直な面とのなす角度は８０度以上である請求項１又は請求項２記載の気相成長装置。
【請求項４】
前記第２の長さは５ｍｍ以上である請求項１ないし請求項３いずれか一項記載の気相成長装置。
【請求項５】
前記反応室と前記第１のガス室との間に設けられ、前記第１のプロセスガスと異なる第２のプロセスガスが導入される第２のガス室と、
前記第２のガス室から前記反応室に前記第２のプロセスガスを供給する複数の第２のガス流路と、
を更に備え、
前記複数の第２のガス流路のうち少なくとも１つは、第３の領域と、前記第３の領域と前記反応室との間に位置する第４の領域とを有し、前記第３の領域は前記第２のプロセスガスの流れる第２の方向に垂直な面における第３の開口断面積と前記第２の方向の第３の長さとを有し、前記第４の領域は前記第２の方向に垂直な面における第４の開口断面積と前記第２の方向の第４の長さとを有し、前記第３の開口断面積は前記第４の開口断面積よりも小さく、前記第３の長さは前記第４の長さ以下である請求項１ないし請求項４いずれか一項記載の気相成長装置。
【請求項６】
反応室上に設けられ、プロセスガスが導入されるガス室と、
前記ガス室から前記反応室に前記プロセスガスを供給する複数のガス流路と、
前記反応室の中に設けられ、基板を載置可能なホルダと、
前記基板を１５００℃以上の温度に加熱することが可能なヒータと、
を備え、
複数の前記ガス流路のうちの少なくとも１つは、前記ガス流路の上端を含む第１の領域と、前記第１の領域と前記反応室との間に位置する第２の領域とを有し、前記ガス流路の前記上端の第１の流路面積より前記ガス流路の下端の第２の流路面積が大きく、前記ガス流路の前記上端と前記下端の中間位置における流路面積は、前記第１の流路面積より大きく、前記第２の流路面積以下であり、
前記第１の領域は第１のコンダクタンスを有し、前記第２の領域は第２のコンダクタンスを有し、前記第２のコンダクタンスに対する前記第１のコンダクタンスの比率は、１％以上４０％以下である気相成長装置。
【請求項７】
反応室内に基板を載置し、
前記基板を１５００℃以上の温度に加熱し、
前記反応室の上に設けられたガス室から複数のガス流路を経て前記反応室内にプロセスガスを導入し、
複数の前記ガス流路のうちの少なくとも１つは、第１のコンダクタンスを有する第１の領域と、前記第１の領域と前記反応室との間に位置し前記第１の領域より距離が長く第２のコンダクタンスを有する第２の領域とを有し、前記第２のコンダクタンスに対する前記第１のコンダクタンスの比率は、１％以上４０％以下である気相成長方法。
【手続補正２】
【補正対象書類名】明細書
【補正対象項目名】発明の名称
【補正方法】変更
【補正の内容】
【発明の名称】気相成長装置及び気相成長方法
【手続補正３】
【補正対象書類名】明細書
【補正対象項目名】０００８
【補正方法】変更
【補正の内容】
【０００８】
本発明の一態様の気相成長装置は、反応室と、前記反応室の上に設けられ、第１のプロセスガスが導入される第１のガス室と、前記第１のガス室から前記反応室に前記第１のプロセスガスを供給する複数の第１のガス流路と、前記反応室の中に設けられ、基板を載置可能なホルダと、前記基板を１５００℃以上の温度に加熱することが可能なヒータと、を備え、前記複数の第１のガス流路のうち少なくとも１つは、第１の領域と、前記第１の領域と前記反応室との間に位置する第２の領域とを有し、前記第１の領域は前記第１のプロセスガスの流れる方向に垂直な面における第１の開口断面積と前記方向の第１の長さとを有し、前記第２の領域は前記方向に垂直な面における第２の開口断面積と前記方向の第２の長さとを有し、前記第１の開口断面積は前記第２の開口断面積よりも小さく、前記第１の長さは前記第２の長さ以下であり、前記第１の領域は第１のコンダクタンスを有し、前記第２の領域は第２のコンダクタンスを有し、前記第２のコンダクタンスに対する前記第１のコンダクタンスの比率は、１％以上４０％以下である。
【手続補正４】
【補正対象書類名】明細書
【補正対象項目名】００１０
【補正方法】削除
【補正の内容】
【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
凹部が形成された下地膜に有機膜を埋め込む埋込工程と、
前記埋込工程の後に、前記下地膜の上部の少なくとも一部が露出するように少なくとも前記有機膜をエッチングするエッチング工程と、
を含む処理方法。
【請求項２】
前記エッチング工程において、前記エッチングで露出した前記一部は、前記下地膜の上部角部である、
請求項１に記載の処理方法。
【請求項３】
前記埋込工程は、
前記下地膜の上部から凹部に向けて窪むように前記有機膜を埋め込む、
請求項１又は２に記載の処理方法。
【請求項４】
前記埋込工程は、
前記下地膜の上部に成膜された、前記有機膜の部分の垂直方向の高さが、前記下地膜の上部角部から前記有機膜の表面までの最短距離よりも大きくなるように前記有機膜を埋め込む、
請求項１〜３のいずれか一項に記載の処理方法。
【請求項５】
前記埋込工程は、
前記下地膜の底部から上部までの厚さと前記下地膜の上部から垂直方向に成膜された有機膜の第１の部分の厚さとの合算値が、前記凹部の底部から垂直方向に前記凹部に埋め込まれた有機膜の第２の部分の厚さよりも厚い状態になるように前記有機膜を埋め込む、
請求項１〜４のいずれか一項に記載の処理方法。
【請求項６】
前記埋込工程は、
前記凹部に埋め込まれた有機膜の厚さが、前記下地膜の底部から上部までの厚さ以下になる状態まで前記有機膜を埋め込む、
請求項１〜５のいずれか一項に記載の処理方法。
【請求項７】
前記埋込工程は、
被処理体を真空容器内の−２０℃以下に冷却された載置台の上に設置する工程と、
前記真空容器内に低蒸気圧材料のガスを含む処理ガスを供給する工程と、
供給した前記処理ガスからプラズマを生成し、該プラズマによって前記低蒸気圧材料から生成されるプリカーサを被処理体に照射する工程と、を有する、
請求項１〜６のいずれか一項に記載の処理方法。
【請求項８】
前記埋込工程は、
コータ・デベロッパを用いて有機材料を塗布することで前記有機膜を前記凹部に埋め込む、
請求項１〜６のいずれか一項に記載の処理方法。
【請求項９】
前記エッチング工程は、
前記下地膜の上部がラウンドするようにエッチングする、
請求項１〜８のいずれか一項に記載の処理方法。
【請求項１０】
前記エッチング工程は、
前記下地膜と前記有機膜とを、選択比が概ね１：１になる条件にてエッチングする、
請求項１〜９のいずれか一項に記載の処理方法。
【請求項１１】
前記有機膜を除去する除去工程を有する、
請求項１〜１０のいずれか一項に記載の処理方法。
【請求項１２】
前記埋込工程の前に、前記下地膜の上のマスクを用いて前記下地膜をエッチングし、前記凹部を形成する形成工程を有する、
請求項１１に記載の処理方法。
【手続補正２】
【補正対象書類名】明細書
【補正対象項目名】０００５
【補正方法】変更
【補正の内容】
【０００５】
本開示の一の態様によれば、凹部が形成された下地膜に有機膜を埋め込む埋込工程と、前記埋込工程の後に、前記下地膜の上部の少なくとも一部が露出するように少なくとも前記有機膜をエッチングするエッチング工程と、を含む処理方法が提供される。
【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
陽極、陰極、および前記陽極と前記陰極の間に発光層を含む少なくとも１層の有機層を有する有機エレクトロルミネッセンス素子であって、
前記発光層は、以下の式（Ａ）を満たす第１有機化合物と第２有機化合物と第３有機化合物とを少なくとも含み、前記第２有機化合物は遅延蛍光体であり、前記第３有機化合物は発光体であることを特徴とする有機エレクトロルミネッセンス素子。
式（Ａ）  ＥＳ１（Ａ）＞ＥＳ１（Ｂ）＞ＥＳ１（Ｃ）
（上式において、ＥＳ１（Ａ）は前記第１有機化合物の最低励起一重項エネルギー準位を表し、ＥＳ１（Ｂ）は前記第２有機化合物の最低励起一重項エネルギー準位を表し、ＥＳ１（Ｃ）は前記第３有機化合物の最低励起一重項エネルギー準位を表す。）
【請求項２】
前記第２有機化合物は、最低励起一重項状態と７７Ｋの最低励起三重項状態とのエネルギーの差ΔＥｓｔが０．３ｅＶ以下であることを特徴とする請求項１に記載の有機エレクトロルミネッセンス素子。
【請求項３】
前記第２有機化合物は、最低励起一重項状態と７７Ｋの最低励起三重項状態とのエネルギーの差ΔＥｓｔが０．０８ｅＶ以下であることを特徴とする請求項１に記載の有機エレクトロルミネッセンス素子。
【請求項４】
前記第１有機化合物と前記第２有機化合物が以下の式（Ｂ）を満たすことを特徴とする請求項１〜３のいずれか１項に記載の有機エレクトロルミネッセンス素子。
式（Ｂ）  ＥＴ１（Ａ）＞ＥＴ１（Ｂ）
（上式において、ＥＴ１（Ａ）は第１有機化合物の７７Ｋにおける最低励起三重項エネルギー準位を表し、ＥＴ１（Ｂ）は第２有機化合物の７７Ｋにおける最低励起三重項エネルギー準位を表す。）
【請求項５】
前記第３有機化合物は、最低励起一重項エネルギー準位から基底エネルギー準位に戻るときに蛍光を放射するものであることを特徴とする請求項１〜４のいずれか１項に記載の有機エレクトロルミネッセンス素子。
【請求項６】
前記発光層における前記第２有機化合物の含有量が前記第１有機化合物の含有量よりも小さいことを特徴とする請求項１〜５のいずれか１項に記載の有機エレクトロルミネッセンス素子。
【請求項７】
前記発光層は、前記第３有機化合物として２種以上の化合物を含むことを特徴とする請求項１〜６のいずれか１項に記載の有機エレクトロルミネッセンス素子。
【請求項８】
前記発光層は、前記第１有機化合物と前記第２有機化合物と前記第３有機化合物の他に、１種または２種以上の有機化合物を含むことを特徴とする請求項１〜７のいずれか１項に記載の有機エレクトロルミネッセンス素子。
【請求項９】
前記第２有機化合物が下記一般式（１）で表される化合物である、請求項１〜８のいずれか１項に記載の有機エレクトロルミネッセンス素子。
一般式（１）
（Ａ）ｍーＬー（Ｄ）ｎ
［一般式（１）において、Ｌはｍ＋ｎ価の芳香族連結基であり、Ａはハメットのσｐ値が正の基またはフェニル基であり、Ｄはハメットのσｐ値が負の基（ただしフェニル基は除く）であり、ｍは１以上の整数であり、ｎは２以上の整数である。ｍが２以上であるとき、複数のＡは互いに同一であっても異なっていてもよい。複数のＤのうちの２つは、ともに共通する芳香環を含んでいるが、互いに異なる構造を有する基である。］
【請求項１０】
前記一般式（１）のＡがシアノ基である、請求項９に記載の有機エレクトロルミネッセンス素子。
【請求項１１】
前記一般式（１）のＤがジアリールアミノ基またはカルバゾリル基である、請求項９または１０に記載の有機エレクトロルミネッセンス素子。
【請求項１２】
前記一般式（１）で表される化合物が、下記一般式（１０）で表される化合物である、請求項９に記載の有機エレクトロルミネッセンス素子。
【化１】
2020031162.tif 000001
［一般式（１０）において、Ａ１はハメットのσｐ値が正の基を表す。Ｒ１〜Ｒ５は各々独立に水素原子、ハメットのσｐ値が正の基またはハメットのσｐ値が負の基を表し、Ｒ１〜Ｒ５の少なくとも２つはハメットのσｐ値が負の基（ただしフェニル基は除く）である。Ｒ１〜Ｒ５のうちの１つ以上がハメットのσｐ値が正の基であるとき、Ａ１が表すハメットのσｐ値が正の基およびＲ１〜Ｒ５のうちのハメットのσｐ値が正の基は互いに同一であっても異なっていてもよい。］
【請求項１３】
Ａ１がシアノ基である、請求項１２に記載の有機エレクトロルミネッセンス素子。
【請求項１４】
Ｒ１〜Ｒ５の４つまたは５つがハメットのσｐ値が負の基（ただしフェニル基は除く）である、請求項１２または１３に記載の有機エレクトロルミネッセンス素子。
【請求項１５】
前記第２有機化合物が下記一般式（１２）で表される化合物である、請求項１〜８のいずれか１項に記載の有機エレクトロルミネッセンス素子。
【化２】
2020031162.tif 000002
［一般式（１２）において、Ｒ１１〜Ｒ１５のうちの少なくとも３つは置換もしくは無置換のジアリールアミノ基（ただし、ジアリールアミノ基を構成する２つのアリール基は互いに結合していてもよい）およびハロゲン原子から選択され、選択された基はすべてが同一であることはなく、また少なくとも１つは置換もしくは無置換のジアリールアミノ基（ただし、ジアリールアミノ基を構成する２つのアリール基は互いに結合していてもよい）である。残りの０〜２つは水素原子、置換もしくは無置換のアリール基、またはシアノ基を表す。］
【請求項１６】
前記第２有機化合物が下記一般式（１４）で表される化合物である、請求項１〜８のいずれか１項に記載の有機エレクトロルミネッセンス素子。
【化３】
2020031162.tif 000003
［一般式（１４）において、Ｒ１１、Ｒ１２、Ｒ１４、Ｒ１５のうちの少なくとも３つは置換もしくは無置換のジアリールアミノ基（ただし、ジアリールアミノ基を構成する２つのアリール基は互いに結合していてもよい）およびハロゲン原子から選択され、選択された基はすべてが同一であることはなく、また少なくとも１つは置換もしくは無置換のジアリールアミノ基（ただし、ジアリールアミノ基を構成する２つのアリール基は互いに結合していてもよい）である。残りの０〜１つは水素原子、置換もしくは無置換のアリール基、またはシアノ基を表す。］
【請求項１７】
下記一般式（１３）で表される化合物。
【化４】
2020031162.tif 000004
［一般式（１３）において、Ｒ１１〜Ｒ１５のうちの少なくとも３つは置換もしくは無置換のカルバゾール−９−イル基であり、それら少なくとも３つの置換もしくは無置換のカルバゾール−９−イル基はすべてが同一であることはなく、また、置換もしくは無置換のジアリールアミノ基（ただし、ジアリールアミノ基を構成する２つのアリール基は互いに結合していてもよい）で置換されていることもない。残りの０〜２つは水素原子、置換もしくは無置換のアリール基、ハロゲン原子、またはシアノ基を表す。］
【手続補正書】
【提出日】令和3年8月30日(2021.8.30)
【手続補正１】
【補正対象書類名】特許請求の範囲
【補正対象項目名】全文
【補正方法】変更
【補正の内容】
【特許請求の範囲】
【請求項１】
遊技者にとって有利な特典が付与される第１の判定結果になるか、前記第１の判定結果よりも前記特典が得られない第２の判定結果になるか、を判定する判定を行う特典判定手段と、
前記特典判定手段の判定結果を予測できない内容のファジー演出を実行し、その後に、前記判定結果を報知又は示唆する判定結果演出を実行可能な演出実行手段と、を有し、
前記演出実行手段は、前記第１の判定結果の場合には、前記判定結果演出を、前記第２の判定結果の場合に判定結果が報知又は示唆されるよりも早く実行する遊技機。
【手続補正２】
【補正対象書類名】明細書
【補正対象項目名】０００５
【補正方法】変更
【補正の内容】
【０００５】
上記課題を解決するためになされた請求項１の発明は、遊技者にとって有利な特典が付与される第１の判定結果と、前記第１の判定結果よりも前記特典が得られない第２の判定結果と、の何れになるかを判定する特典判定手段と、前記特典判定手段の判定結果を予測できない内容のファジー演出を実行し、その後に、前記判定結果を報知又は示唆する判定結果演出を実行可能な演出実行手段と、を有し、前記演出実行手段は、前記第１の判定結果の場合には、前記判定結果演出を、前記第２の判定結果の場合に判定結果が報知又は示唆されるよりも早く実行する遊技機である。
【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
遊技者に有利な特別遊技状態にすることが可能な遊技状態制御手段と、
動作可能な可動体を含む演出手段を用いて、所定の演出を実行可能な演出実行手段と、を備え、
前記可動体には、特別の可動体と、前記特別の可動体とは異なる通常の可動体と、が含まれ、
前記演出実行手段は、
前記特別の可動体を動作させる特別の可動体演出を実行するときと、前記特別の可動体を動作させないで前記通常の可動体を動作させる通常の可動体演出を実行するときと、があり、
前記特別遊技状態になる可能性が高いことを示唆する特別演出を実行することがあり、
前記特別の可動体には、前記特別演出の内容を示唆する表示が模られており、
前記通常の可動体演出が実行されたときよりも前記特別の可動体演出が実行されたときの方が、前記特別演出が実行され易い、
ことを特徴とする遊技機。
【手続補正２】
【補正対象書類名】明細書
【補正対象項目名】０００７
【補正方法】変更
【補正の内容】
【０００７】
本明細書に開示される遊技機は、遊技者に有利な特別遊技状態にすることが可能な遊技状態制御手段と、動作可能な可動体を含む演出手段を用いて、所定の演出を実行可能な演出実行手段と、を備え、前記可動体には、特別の可動体と、前記特別の可動体とは異なる通常の可動体と、が含まれ、前記演出実行手段は、前記特別の可動体を動作させる特別の可動体演出を実行するときと、前記特別の可動体を動作させないで前記通常の可動体を動作させる通常の可動体演出を実行するときと、があり、前記特別遊技状態になる可能性が高いことを示唆する特別演出を実行することがあり、前記特別の可動体には、前記特別演出の内容を示唆する表示が模られており、前記通常の可動体演出が実行されたときよりも前記特別の可動体演出が実行されたときの方が、前記特別演出が実行され易い、ことを特徴としている。
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
第１のスイッチと、
第３のスイッチと、
表示装置と、
を備え、
遊技待機中に選択可能な複数の項目を含むメニュー画像を表示装置に表示可能とし、
表示装置に表示された複数の項目のうち何れかの項目を、第３のスイッチを用いて選択可能とし、
表示装置に表示された複数の項目のうち第３のスイッチを用いて選択された特定の項目に対応した特定の画像を、第１のスイッチを用いて表示装置に表示可能とし、
メニュー画像を表示しているときに第３のスイッチが押下されると現在選択している項目から次の項目を選択可能とし、
メニュー画像を表示しているときに第３のスイッチが押下され、当該押下が継続して行われている状況下で第１のスイッチが操作されると、第１のスイッチが操作されたときに選択している項目に対応した画像を、表示装置に表示可能とする
ことを特徴とする遊技機。
【手続補正２】
【補正対象書類名】明細書
【補正対象項目名】０００５
【補正方法】変更
【補正の内容】
【０００５】
上述した課題を解決するために、本発明は、
第１のスイッチと、
第３のスイッチと、
表示装置と、
を備え、
遊技待機中に選択可能な複数の項目を含むメニュー画像を表示装置に表示可能とし、
表示装置に表示された複数の項目のうち何れかの項目を、第３のスイッチを用いて選択可能とし、
表示装置に表示された複数の項目のうち第３のスイッチを用いて選択された特定の項目に対応した特定の画像を、第１のスイッチを用いて表示装置に表示可能とし、
メニュー画像を表示しているときに第３のスイッチが押下されると現在選択している項目から次の項目を選択可能とし、
メニュー画像を表示しているときに第３のスイッチが押下され、当該押下が継続して行われている状況下で第１のスイッチが操作されると、第１のスイッチが操作されたときに選択している項目に対応した画像を、表示装置に表示可能とする
ことを特徴とする。
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
第１のスイッチと、
第２のスイッチと、
表示装置と、
遊技メダル投入口と、
遊技メダル投入口から投入された遊技メダルが通過する通路中に設けられ、遊技メダルを検知し得る検知手段Ａ及び検知手段Ｂ（検知手段Ｂは、検知手段Ａより下流側に位置する）と、
を備え、
所定の状況にて、電源の供給が遮断される事象が発生した時から、当該電源の供給が遮断される事象を検知し、電源断処理を実行する時までの期間の設計値をＴ１とし、
所定の状況にて、遊技メダル投入口から遊技メダルが投入される場合における、当該遊技メダルを検知手段Ａが検知する時から、当該遊技メダルを検知手段Ｂが検知して当該遊技メダルを検知手段Ａが検知しなくなり当該遊技メダルを検知手段Ｂが検知しなくなる時までの期間の設計値をＴ２としたとき、
Ｔ１＞Ｔ２
となっており、
遊技待機中に第１のスイッチが押下された場合は、メニュー画像を表示装置に表示可能とし、
第２のスイッチの押下を促す画像が所定のタイミングで表示される所定の遊技において、所定のタイミングとなって、第２のスイッチの押下を促す画像が表示されているときに第２のスイッチが押下された場合は、所定の画像を表示装置に表示可能とし、
遊技中に第１のスイッチが押下され、当該押下が継続して行われている状況下で遊技が終了して遊技待機中へ移行した場合は、当該遊技待機中において第１のスイッチが未だに押下され続けていてもメニュー画像が表示装置に表示されず、
第２のスイッチの押下を促す画像が所定のタイミングで表示される所定の遊技において、所定のタイミングとなって、その後、第２のスイッチの押下を促す画像が表示されているときに第２のスイッチが押下されて所定の画像が表示装置に表示され、当該押下が継続して行われている状況下で第１のスイッチが押下された場合はメニュー画像が表示装置に表示されずに所定の画像が表示装置に表示されている
ことを特徴とする遊技機。
【手続補正２】
【補正対象書類名】明細書
【補正対象項目名】０００５
【補正方法】変更
【補正の内容】
【０００５】
上述した課題を解決するために、本発明は、
第１のスイッチと、
第２のスイッチと、
表示装置と、
遊技メダル投入口と、
遊技メダル投入口から投入された遊技メダルが通過する通路中に設けられ、遊技メダルを検知し得る検知手段Ａ及び検知手段Ｂ（検知手段Ｂは、検知手段Ａより下流側に位置する）と、
を備え、
所定の状況にて、電源の供給が遮断される事象が発生した時から、当該電源の供給が遮断される事象を検知し、電源断処理を実行する時までの期間の設計値をＴ１とし、
所定の状況にて、遊技メダル投入口から遊技メダルが投入される場合における、当該遊技メダルを検知手段Ａが検知する時から、当該遊技メダルを検知手段Ｂが検知して当該遊技メダルを検知手段Ａが検知しなくなり当該遊技メダルを検知手段Ｂが検知しなくなる時までの期間の設計値をＴ２としたとき、
Ｔ１＞Ｔ２
となっており、
遊技待機中に第１のスイッチが押下された場合は、メニュー画像を表示装置に表示可能とし、
第２のスイッチの押下を促す画像が所定のタイミングで表示される所定の遊技において、所定のタイミングとなって、第２のスイッチの押下を促す画像が表示されているときに第２のスイッチが押下された場合は、所定の画像を表示装置に表示可能とし、
遊技中に第１のスイッチが押下され、当該押下が継続して行われている状況下で遊技が終了して遊技待機中へ移行した場合は、当該遊技待機中において第１のスイッチが未だに押下され続けていてもメニュー画像が表示装置に表示されず、
第２のスイッチの押下を促す画像が所定のタイミングで表示される所定の遊技において、所定のタイミングとなって、その後、第２のスイッチの押下を促す画像が表示されているときに第２のスイッチが押下されて所定の画像が表示装置に表示され、当該押下が継続して行われている状況下で第１のスイッチが押下された場合はメニュー画像が表示装置に表示されずに所定の画像が表示装置に表示されている
ことを特徴とする。
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
複数の図柄が表示されているリールと、
検出片と
を備え、
停止操作により、リールが停止したときにリール表示窓の縦方向における上段、中段、下段のそれぞれに図柄が停止可能となるよう構成されており、
リールが定速で回転している状況では、検出手段が検出片を検出すると基準図柄番号がセットされる場合があり、
検出手段が検出片を検出する時のリール表示窓の中段の上部に対応する或る図柄の中心は、リール表示窓の中段の中心よりも上側にある
ことを特徴とする遊技機。
【手続補正２】
【補正対象書類名】明細書
【補正対象項目名】０００５
【補正方法】変更
【補正の内容】
【０００５】
上述した課題を解決するために、本発明は、
複数の図柄が表示されているリールと、
検出片と
を備え、
停止操作により、リールが停止したときにリール表示窓の縦方向における上段、中段、下段のそれぞれに図柄が停止可能となるよう構成されており、
リールが定速で回転している状況では、検出手段が検出片を検出すると基準図柄番号がセットされる場合があり、
検出手段が検出片を検出する時のリール表示窓の中段の上部に対応する或る図柄の中心は、リール表示窓の中段の中心よりも上側にある
ことを特徴とする。
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
第１のスイッチと、
第２のスイッチと、
第３のスイッチと、
表示装置と、
を備え、
遊技待機中に第１のスイッチが押下された場合は、選択可能な複数の項目を含むメニュー画像を表示装置に表示可能とし、
表示装置に表示された複数の項目のうち何れかの項目を、第３のスイッチを用いて選択可能とし、
表示装置に表示された複数の項目のうち第３のスイッチを用いて選択された特定の項目に対応した特定の画像を、第１のスイッチを用いて表示装置に表示可能とし、
メニュー画像を表示しているときに第３のスイッチが押下されると現在選択している項目から次の項目を選択可能とし、
メニュー画像を表示しているときに第３のスイッチが押下され、当該押下が継続して行われている状況下で第１のスイッチが操作されると、第１のスイッチが操作されたときに選択している項目に対応した画像を、表示装置に表示可能とし、
第２のスイッチの押下を促す画像が所定のタイミングで表示される所定の遊技において、所定のタイミングとなって、第２のスイッチの押下を促す画像が表示されているときに第２のスイッチが押下された場合は、所定の画像を表示装置に表示可能とし、
遊技中に第１のスイッチが押下され、当該押下が継続して行われている状況下で遊技が終了して遊技待機中へ移行した場合は、当該遊技待機中において第１のスイッチが未だに押下され続けていてもメニュー画像が表示装置に表示されず、
第２のスイッチの押下を促す画像が所定のタイミングで表示される所定の遊技において、所定のタイミングとなって、その後、第２のスイッチの押下を促す画像が表示されているときに第２のスイッチが押下されて所定の画像が表示装置に表示され、当該押下が継続して行われている状況下で第１のスイッチが押下された場合はメニュー画像が表示装置に表示されずに所定の画像が表示装置に表示されている
ことを特徴とする遊技機。
【手続補正２】
【補正対象書類名】明細書
【補正対象項目名】０００５
【補正方法】変更
【補正の内容】
【０００５】
上述した課題を解決するために、本発明は、
第１のスイッチと、
第２のスイッチと、
第３のスイッチと、
表示装置と、
を備え、
遊技待機中に第１のスイッチが押下された場合は、選択可能な複数の項目を含むメニュー画像を表示装置に表示可能とし、
表示装置に表示された複数の項目のうち何れかの項目を、第３のスイッチを用いて選択可能とし、
表示装置に表示された複数の項目のうち第３のスイッチを用いて選択された特定の項目に対応した特定の画像を、第１のスイッチを用いて表示装置に表示可能とし、
メニュー画像を表示しているときに第３のスイッチが押下されると現在選択している項目から次の項目を選択可能とし、
メニュー画像を表示しているときに第３のスイッチが押下され、当該押下が継続して行われている状況下で第１のスイッチが操作されると、第１のスイッチが操作されたときに選択している項目に対応した画像を、表示装置に表示可能とし、
第２のスイッチの押下を促す画像が所定のタイミングで表示される所定の遊技において、所定のタイミングとなって、第２のスイッチの押下を促す画像が表示されているときに第２のスイッチが押下された場合は、所定の画像を表示装置に表示可能とし、
遊技中に第１のスイッチが押下され、当該押下が継続して行われている状況下で遊技が終了して遊技待機中へ移行した場合は、当該遊技待機中において第１のスイッチが未だに押下され続けていてもメニュー画像が表示装置に表示されず、
第２のスイッチの押下を促す画像が所定のタイミングで表示される所定の遊技において、所定のタイミングとなって、その後、第２のスイッチの押下を促す画像が表示されているときに第２のスイッチが押下されて所定の画像が表示装置に表示され、当該押下が継続して行われている状況下で第１のスイッチが押下された場合はメニュー画像が表示装置に表示されずに所定の画像が表示装置に表示されている
ことを特徴とする。
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
第１のスイッチと、
第２のスイッチと、
表示装置と、
を備え、
遊技待機中に第１のスイッチが押下された場合は、メニュー画像を表示装置に表示可能とし、
第２のスイッチの押下を促す画像が所定のタイミングで表示される所定の遊技において、所定のタイミングとなって、第２のスイッチの押下を促す画像が表示されているときに第２のスイッチが押下された場合は、所定の画像を表示装置に表示可能とし、
遊技中に第１のスイッチが押下され、当該押下が継続して行われている状況下で遊技が終了して遊技待機中へ移行した場合は、当該遊技待機中において第１のスイッチが未だに押下され続けていてもメニュー画像が表示装置に表示されず、
第２のスイッチの押下を促す画像が所定のタイミングで表示される所定の遊技において、所定のタイミングとなって、その後、第２のスイッチの押下を促す画像が表示されているときに第２のスイッチが押下されて所定の画像が表示装置に表示され、当該押下が継続して行われている状況下で第１のスイッチが押下された場合はメニュー画像が表示装置に表示されずに所定の画像が表示装置に表示されている
ことを特徴とする遊技機。
【手続補正２】
【補正対象書類名】明細書
【補正対象項目名】０００５
【補正方法】変更
【補正の内容】
【０００５】
上述した課題を解決するために、本発明は、
第１のスイッチと、
第２のスイッチと、
表示装置と、
を備え、
遊技待機中に第１のスイッチが押下された場合は、メニュー画像を表示装置に表示可能とし、
第２のスイッチの押下を促す画像が所定のタイミングで表示される所定の遊技において、所定のタイミングとなって、第２のスイッチの押下を促す画像が表示されているときに第２のスイッチが押下された場合は、所定の画像を表示装置に表示可能とし、
遊技中に第１のスイッチが押下され、当該押下が継続して行われている状況下で遊技が終了して遊技待機中へ移行した場合は、当該遊技待機中において第１のスイッチが未だに押下され続けていてもメニュー画像が表示装置に表示されず、
第２のスイッチの押下を促す画像が所定のタイミングで表示される所定の遊技において、所定のタイミングとなって、その後、第２のスイッチの押下を促す画像が表示されているときに第２のスイッチが押下されて所定の画像が表示装置に表示され、当該押下が継続して行われている状況下で第１のスイッチが押下された場合はメニュー画像が表示装置に表示されずに所定の画像が表示装置に表示されている
ことを特徴とする。
【手続補正書】
【提出日】令和3年4月21日(2021.4.21)
【手続補正１】
【補正対象書類名】特許請求の範囲
【補正対象項目名】全文
【補正方法】変更
【補正の内容】
【特許請求の範囲】
【請求項１】
第１のスイッチと、
第２のスイッチと、
第３のスイッチと、
表示装置と、
を備え、
遊技待機中に第１のスイッチが押下された場合は、選択可能な複数の項目を含むメニュー画像を表示装置に表示可能とし、
第２のスイッチの押下を促す画像が所定のタイミングで表示される所定の遊技において、所定のタイミングとなって、第２のスイッチの押下を促す画像が表示されているときに第２のスイッチが押下された場合は、所定の画像を表示装置に表示可能とし、
表示装置に表示された複数の項目のうち特定の項目を選択している状況で第３のスイッチが押下された場合は、他の項目を選択可能とし、
第２のスイッチの押下を促す画像が所定のタイミングで表示される所定の遊技において、所定のタイミングとなって、第２のスイッチの押下を促す画像が表示されているときに第３のスイッチが押下されている状況で第２のスイッチが押下された場合は、所定の画像を表示装置に表示可能とし、
遊技待機中に第１のスイッチが押下されてメニュー画像が表示装置に表示され、表示装置に表示された複数の項目のうち特定の項目を選択しているときに第１のスイッチの当該押下が継続されている状況で第３のスイッチが押下された場合は、他の項目を選択可能とし、
遊技待機中に第２のスイッチが押下されている状況で第１のスイッチが押下された場合は、選択可能な複数の項目を含むメニュー画像を表示装置に表示可能とする
遊技機。
【手続補正２】
【補正対象書類名】明細書
【補正対象項目名】０００５
【補正方法】変更
【補正の内容】
【０００５】
上述した課題を解決するために、本発明は、
第１のスイッチと、
第２のスイッチと、
第３のスイッチと、
表示装置と、
を備え、
遊技待機中に第１のスイッチが押下された場合は、選択可能な複数の項目を含むメニュー画像を表示装置に表示可能とし、
第２のスイッチの押下を促す画像が所定のタイミングで表示される所定の遊技において、所定のタイミングとなって、第２のスイッチの押下を促す画像が表示されているときに第２のスイッチが押下された場合は、所定の画像を表示装置に表示可能とし、
表示装置に表示された複数の項目のうち特定の項目を選択している状況で第３のスイッチが押下された場合は、他の項目を選択可能とし、
第２のスイッチの押下を促す画像が所定のタイミングで表示される所定の遊技において、所定のタイミングとなって、第２のスイッチの押下を促す画像が表示されているときに第３のスイッチが押下されている状況で第２のスイッチが押下された場合は、所定の画像を表示装置に表示可能とし、
遊技待機中に第１のスイッチが押下されてメニュー画像が表示装置に表示され、表示装置に表示された複数の項目のうち特定の項目を選択しているときに第１のスイッチの当該押下が継続されている状況で第３のスイッチが押下された場合は、他の項目を選択可能とし、
遊技待機中に第２のスイッチが押下されている状況で第１のスイッチが押下された場合は、選択可能な複数の項目を含むメニュー画像を表示装置に表示可能とする
ことを特徴とする。
【手続補正書】
【提出日】令和3年6月4日(2021.6.4)
【手続補正１】
【補正対象書類名】特許請求の範囲
【補正対象項目名】請求項５
【補正方法】変更
【補正の内容】
【請求項５】
請求項１に記載の遊技機において、
前記電磁石として、第１の電磁石と、前記第１の電磁石よりコイルの巻き数の多い第２の電磁石とを備えており、
前記可動役物は、前記第１の電磁石と前記第２の電磁石の間の距離が小さくなることに伴って前記第１方向に移動させられ、前記第１の電磁石と前記第２の電磁石の間の距離が大きくなることに伴って前記第２方向に移動させられるものであり、
前記反復移動中に前記第１の電磁石と前記第２の電磁石の間の距離を小さくする手段として、
前記第１の電磁石および前記第２の電磁石のうち前記第１の電磁石のみに磁力を発生させる第１の手段と、
前記第１の電磁石および前記第２の電磁石のうち少なくとも前記第２の電磁石に磁力を発生させる第２の手段と、
を有する
ことを特徴とする遊技機。
【手続補正２】
【補正対象書類名】明細書
【補正対象項目名】００１１
【補正方法】変更
【補正の内容】
【００１１】
また、本発明の遊技機は、
前記電磁石として、第１の電磁石と、前記第１の電磁石よりコイルの巻き数の多い第２の電磁石とを備えており、
前記可動役物は、前記第１の電磁石と前記第２の電磁石の間の距離が小さくなることに伴って前記第１方向に移動させられ、前記第１の電磁石と前記第２の電磁石の間の距離が大きくなることに伴って前記第２方向に移動させられるものであり、
前記反復移動中に前記第１の電磁石と前記第２の電磁石の間の距離を小さくする手段として、
前記第１の電磁石および前記第２の電磁石のうち前記第１の電磁石のみに磁力を発生させる第１の手段と、
前記第１の電磁石および前記第２の電磁石のうち少なくとも前記第２の電磁石に磁力を発生させる第２の手段と、
を有する
こととしてもよい。
【手続補正３】
【補正対象書類名】明細書
【補正対象項目名】０１７９
【補正方法】変更
【補正の内容】
【０１７９】
＜遊技機Ａ５＞
遊技機Ａ１において、
前記電磁石として、第１の電磁石と、前記第１の電磁石よりコイルの巻き数の多い第２の電磁石とを備えており、
前記可動役物は、前記第１の電磁石と前記第２の電磁石の間の距離が小さくなることに伴って前記第１方向に移動させられ、前記第１の電磁石と前記第２の電磁石の間の距離が大きくなることに伴って前記第２方向に移動させられるものであり、
前記反復移動中に前記第１の電磁石と前記第２の電磁石の間の距離を小さくする手段として、
前記第１の電磁石および前記第２の電磁石のうち前記第１の電磁石のみに磁力を発生させる第１の手段と、
前記第１の電磁石および前記第２の電磁石のうち少なくとも前記第２の電磁石に磁力を発生させる第２の手段と、
を有する
ことを特徴とする遊技機。
【手続補正書】
【提出日】令和3年8月12日(2021.8.12)
【手続補正１】
【補正対象書類名】特許請求の範囲
【補正対象項目名】全文
【補正方法】変更
【補正の内容】
【特許請求の範囲】
【請求項１】
光を受光する受光部と、該受光部に入射した光子の数を計数する計数手段と、をそれぞれ有する複数の画素を備え、
前記複数の画素の少なくとも一部の画素について、該少なくとも一部の画素のそれぞれが有する前記計数手段同士を接続したことを特徴とする撮像素子。
【請求項２】
前記計数手段は、前記受光部が光子の入射に伴って発生する電荷に基づいてパルスを発生する発生手段と、該発生手段が発生したパルスを計数するカウンタとを有することを特徴とする請求項１に記載の撮像素子。
【請求項３】
前記計数手段は、前記画素からの信号の読み出し制御、もしくは前記画素のリセット制御において、シフトレジスタ動作を行うことを特徴とする請求項１または２に記載の撮像素子。
【請求項４】
前記画素の信号の初期値を生成する初期化信号生成手段をさらに有し、該初期化信号生成手段は、複数の計数手段のうちの最初の計数手段に接続されていることを特徴とする請求項１乃至３のいずれか１項に記載の撮像素子。
【請求項５】
前記初期化信号生成手段は、一律の固定値を出力することを特徴とする請求項４に記載の撮像素子。
【請求項６】
前記初期化信号生成手段は、画素ごとに個別の値を出力することを特徴とする請求項４に記載の撮像素子。
【請求項７】
前記撮像素子の偶数行の画素に対応する計数手段同士が接続され、奇数行の画素に対応する計数手段同士が接続されることを特徴とする請求項１乃至６のいずれか１項に記載の撮像素子。
【請求項８】
前記撮像素子の偶数列の画素に対応する計数手段同士が接続され、奇数列の画素に対応する計数手段同士が接続されることを特徴とする請求項１乃至６のいずれか１項に記載の撮像素子。
【請求項９】
前記受光部は、１つのマイクロレンズの下に射出瞳を分割する少なくとも２つの副画素を有することを特徴とする請求項１乃至６のいずれか１項に記載の撮像素子。
【請求項１０】
前記複数の画素のうちの間引いて読み出される画素に対応したそれぞれの計数手段同士が接続されることを特徴とする請求項１乃至６のいずれか１項に記載の撮像素子。
【請求項１１】
光を受光する受光部と、該受光部に入射した光子の数を計数する計数手段と、をそれぞれ有する複数の画素を備える撮像素子を制御する方法であって、
前記複数の画素の少なくとも一部の画素のそれぞれが有する前記計数手段を用いて、前記画素の信号を、複数の前記計数手段の間で転送することを特徴とする撮像素子の制御方法。
【請求項１２】
請求項１１に記載の制御方法をコンピュータに実行させるためのプログラム。
【請求項１３】
請求項１１に記載の制御方法をコンピュータに実行させるためのプログラムを記憶したコンピュータが読み取り可能な記憶媒体。
【手続補正書】
【提出日】令和3年8月18日(2021.8.18)
【手続補正１】
【補正対象書類名】特許請求の範囲
【補正対象項目名】全文
【補正方法】変更
【補正の内容】
【特許請求の範囲】
【請求項１】
発光手段を発光させて撮像素子により撮像が可能な撮像装置であって、
前記撮像素子の各画素部が有するフローティングディフュージョン部に対する静電容量を変化させる容量可変手段と、
複数の画素部の画素信号に対して設定される複数のゲインにより増幅を行う増幅手段と、
前記発光手段、前記容量可変手段、および前記増幅手段を制御する制御手段と、を備え、
前記制御手段は、
前記発光手段の予備発光を行って測光を行う調光にて、前記容量可変手段により設定される前記静電容量に基づくゲインおよび前記増幅手段に対して設定されるゲインにより、複数のゲインを決定して前記画素信号を読出す領域ごとにゲインを変更して当該ゲインを乗算した画像信号を出力する第１の制御と、
前記撮像素子が出力する画像信号の表示または記録を行う場合、前記容量可変手段により設定される前記静電容量に基づくゲインおよび前記増幅手段に対して設定されるゲインにより決定したゲインを乗算した画像信号を出力する第２の制御と、を行う
ことを特徴とする撮像装置。
【請求項２】
前記制御手段は、前記調光に用いる第１の画像信号を前記第１の制御で取得し、前記第１の画像信号により前記発光手段を撮影時に発光させる際の発光量を決定し、前記第２の制御により前記表示または記録に用いる第２の画像信号を取得する
ことを特徴とする請求項１に記載の撮像装置。
【請求項３】
前記制御手段は、前記第１の画像信号のうち、複数の前記画素部における第１の読出し領域から取得される第１の画素信号に対して第１のゲインを乗算する制御を行い、前記第１の読出し領域とは異なる第２の読出し領域から読み出される第２の画素信号に対して第２のゲインを乗算する制御を行う
ことを特徴とする請求項２に記載の撮像装置。
【請求項４】
前記容量可変手段は、
前記フローティングディフュージョン部に対する付加容量と、
前記フローティングディフュージョン部に前記付加容量が接続された第１の状態、または前記フローティングディフュージョン部に前記付加容量が接続されていない第２の状態を選択する選択手段と、を備える
ことを特徴とする請求項３に記載の撮像装置。
【請求項５】
前記制御手段は前記選択手段を制御し、前記第１の画像信号を取得する場合と、前記第２の画像信号を取得する場合とで、前記フローティングディフュージョン部と前記付加容量との接続状態を変更する
ことを特徴とする請求項４に記載の撮像装置。
【請求項６】
前記制御手段は、前記第１の画像信号を取得する場合、前記選択手段を制御して前記第２の状態を選択し、前記増幅手段に対して前記ゲインを設定する制御を行う
ことを特徴とする請求項５に記載の撮像装置。
【請求項７】
前記制御手段は、前記第２の画像信号を取得する場合、前記選択手段を制御して前記第１または第２の状態を選択し、前記増幅手段に対して前記ゲインを設定する制御を行う
ことを特徴とする請求項５に記載の撮像装置。
【請求項８】
前記制御手段は、前記第１の画像信号のうち、前記第１の画素信号を読出すときに前記選択手段を制御して前記第１の状態を選択し、前記第１の画素信号に対して前記第１のゲインを乗算する制御を行い、前記第２の画素信号を読出すときに前記選択手段を制御して前記第２の状態を選択し、前記第２の画素信号に対して前記第２のゲインを乗算する制御を行う
ことを特徴とする請求項４に記載の撮像装置。
【請求項９】
前記制御手段は、複数の前記画素部における第１の行から前記第１の画素信号を読出し、第２の行から前記第２の画素信号を読出す制御を行う
ことを特徴とする請求項８に記載の撮像装置。
【請求項１０】
前記撮像素子は、前記容量可変手段および前記増幅手段を備え、
前記制御手段は、撮像感度が閾値より低い設定である場合に前記第２の画像信号を取得するときに前記選択手段を制御して前記第１の状態とし、撮像感度が閾値以上の設定である場合に前記第２の画像信号を取得するときに前記選択手段を制御して前記第２の状態とする制御を行う
ことを特徴とする請求項５に記載の撮像装置。
【請求項１１】
発光手段を発光させて撮像素子により撮像が可能な撮像装置にて実行される制御方法であって、
前記発光手段の予備発光を行って測光を行う調光にて、前記撮像素子の画素部が有するフローティングディフュージョン部に対する静電容量を変化させる容量可変手段の設定に基づくゲインと、前記画素部の画素信号を増幅する増幅手段に対して設定されるゲインと、により複数のゲインを決定して前記画素信号を読出す領域ごとにゲインを変更して当該ゲインを乗算した画像信号を出力する第１の制御工程と、
前記撮像素子が出力する画像信号の表示または記録を行う場合、前記容量可変手段により設定される前記静電容量に基づくゲインおよび前記増幅手段に対して設定されるゲインにより決定されるゲインを乗算した画像信号を出力する第２の制御工程と、を有する
ことを特徴とする撮像装置の制御方法。
【手続補正２】
【補正対象書類名】明細書
【補正対象項目名】０００６
【補正方法】変更
【補正の内容】
【０００６】
本発明の実施形態の撮像装置は、発光手段を発光させて撮像素子により撮像が可能な撮像装置であって、前記撮像素子の各画素部が有するフローティングディフュージョン部に対する静電容量を変化させる容量可変手段と、複数の画素部の画素信号に対して設定される複数のゲインにより増幅を行う増幅手段と、前記発光手段、前記容量可変手段、および前記増幅手段を制御する制御手段と、を備える。前記制御手段は、前記発光手段の予備発光を行って測光を行う調光にて、前記容量可変手段により設定される前記静電容量に基づくゲインおよび前記増幅手段に対して設定されるゲインにより、複数のゲインを決定して前記画素信号を読出す領域ごとにゲインを変更して当該ゲインを乗算した画像信号を出力する第１の制御と、前記撮像素子が出力する画像信号の表示または記録を行う場合、前記容量可変手段により設定される前記静電容量に基づくゲインおよび前記増幅手段に対して設定されるゲインにより決定したゲインを乗算した画像信号を出力する第２の制御と、を行う。